(57)【要約】【課題】車椅子利用の顧客や背の低い顧客による現金の投入や受取操作の操作性を向上させ、装置を利用し易くすると共に、装置内に専用の一時保留部を設ける必要をなくした。【解決手段】紙幣入出金口５の他に操作表示部より低い位置にもうひとつの紙幣入出金口７を設けて、車椅子利用の顧客や背の低い顧客が紙幣入出金口７を使用して紙幣の投入、受取を行得るようにすると共に、入金取引時には２つの紙幣入出金口５，７のうちの現金の投入、受取に使用しない方を鑑別部で入金可能と鑑別された紙幣の一時保留部として利用するようにした。【選択図】図１
2008052486.tif 000002
【特許請求の範囲】
【請求項１】
顧客に対して取引操作に必要な画面等の表示と情報の入力を行わせる操作表示部を備えた自動取引装置において、
顧客が現金の投入、受取を行う入出金口を２つ設け、そのうちの１つを操作表示部より低い位置に配置したことを特徴とする自動取引装置。
【請求項２】
請求項１に記載の自動取引装置において、
入金取引時に、前記２つの入出金口のうちの現金の投入、受取に使用しない入出金口を入金可能と鑑別された紙幣の一時保留部として利用することを特徴とする自動取引装置。
【請求項３】
請求項１または請求項２に記載の自動取引装置において、
前記２つの入出金口のうち現金の投入、受取に使用する入出金口を選択させるボタンを備えたことを特徴とする自動取引装置。
【請求項４】
請求項１または請求項２に記載の自動取引装置において、
顧客の取引媒体に書込まれた入出金口を指定する情報を読取り、その情報に基づいて現金の投入、受取に使用する入出金口を決定することを特徴とする紙幣入出金機。
【請求項５】
請求項４に記載の自動取引装置において、
前記入出金口を指定する情報を書換えるための画面を操作表示部に表示し、顧客が書換え指示を入力したとき、書換えを行うことを特徴とする自動取引装置。
【請求項６】
請求項１または請求項２に記載の自動取引装置において、
健常者である顧客を検知する高さに配置された検知センサを備え、取引が選択されたとき検知センサが顧客を検知しているか否かにより、現金の投入、受取に使用する入出金口を決定することを特徴とする自動取引装置。
【発明の詳細な説明】
【技術分野】
【０００１】
本発明は、金融機関等で運用される自動取引装置に関するものである。
【背景技術】
【０００２】
金融機関等で運用される自動取引装置には、現金処理機として紙幣入出金機と硬貨入出金機が組込まれている。
一般に紙幣入出金機は、紙幣の投入及び受取を行う紙幣入出金口、入金取引時及び出金取引時に紙幣の金種や正損等の鑑別を行う鑑別部、入金取引時に鑑別部で鑑別された入金可能な紙幣を一時保留する一時保留部、金種別に紙幣を収納する複数の紙幣収納庫、リジェクト紙幣収納庫、及びこれらの間で紙幣を搬送する搬送路等を備えているが、一時保留部に関しては、複数の紙幣収納庫に対してそれぞれ一時保留部を設けたタイプのものと、複数の紙幣収納庫に対して一時保留部を１つだけ設けたタイプのものがあり、このような複数の紙幣収納庫に対して一時保留部を１つ設けたタイプの紙幣入出金機を備えた自動取引装置として、例えば特許文献１に示されるものがある。
【０００３】
この特許文献１に示される自動取引装置において、入金取引及び出金取引は以下のように行われる。
まず、入金取引の場合、利用者（顧客）が操作表示部に表示される取引選択画面で入金取引を選択し、カード挿入口にカードを挿入した後、紙幣を紙幣入出金口に投入すると、紙幣入出金口のシャッタを閉じる。
【０００４】
投入された紙幣は紙幣入出金口内の分離手段により１枚毎に分離し、搬送路により鑑別部に搬送して紙幣の金種、真偽、正損等の鑑別を行い、受け入れの可否を判定する。
受け入れ可と判定した紙幣は計数した後、搬送路により一時保留部に搬送して集積し、一時保留する。
また、受け入れ不可と判定した紙幣は、搬送先を切換えて搬送路により紙幣入出金口に戻すが、紙幣入出金口はこの戻された紙幣を分離中の紙幣と区分して集積できるようになっている。
【０００５】
利用者が投入した紙幣を全て分離、搬送して、鑑別が終了すると、計数した金額を操作表示部に表示する。
このとき受け入れ不可と判定された紙幣があればシャッタを開放して利用者に返却する。
利用者が前記表示金額を了承して、操作表示部に表示した確認ボタンを押下すると、一時保留部に集積した紙幣を一時保留部に配置されている紙幣分離手段により１枚ずつ分離して繰出し、搬送路により再度鑑別部に搬送して再び金種、正損等を鑑別する。
【０００６】
その結果、出金に適する正券と判定した紙幣は、搬送路により金種毎に該当する紙幣収納庫に搬送して収納し、また、出金に不適である損券と判定した紙幣及び出金対象外の金種の紙幣は搬送路によりリジェクト紙幣収納庫に搬送して収納する。
出金取引の場合は、利用者が操作表示部に表示される取引選択画面で払い出し取引を選択し、続いて操作表示部を操作して出金希望金種及び金額を入力すると、この金額に基づいて金種別収納庫から分離手段５により紙幣を１枚ずつ分離して繰出し、繰出した紙幣を搬送路により鑑別部に搬送する。
【０００７】
そして、鑑別部により紙幣の金種、真偽、正損等を鑑別し、その結果、出金に適すると判定した紙幣は計数した後、搬送路により紙幣入出金口に搬送して集積し、出金に不適と判定した紙幣は、搬送路によりリジェクト紙幣収納庫に搬送して収納する。
そして、利用者が入力した前記出金金希望金種、金額分の紙幣を紙幣入出金口に集積すると、シャッタを開いて利用者に受取らせる。
【特許文献１】特開２００２−１８３８０３号（段落「００１５」〜段落「００２４」、図１、図２）
【発明の開示】
【発明が解決しようとする課題】
【０００８】
しかしながら、上述した従来の技術においては、以下の問題を有している。
すなわち、従来の自動取引装置では、利用者側から見て紙幣入出金口（現金の入出金口）が操作表示部の奥側に位置しているため、車椅子利用者や背の低い利用者には現金の投入や受取の操作がしづらいという問題がある。
このような車椅子利用者や背の低い利用者に対して、現金の投入や受取の操作性を改善するには、通常の利用者の紙幣入出金口とは別に車椅子利用者や背の低い利用者専用の紙幣入出金口を設けることが考えられるが、単に紙幣入出金口を増設すると紙幣収納庫の設置スペースが限定されて紙幣の収納量が減少したり、構造が複雑になって高価になるという問題が生じる。
【０００９】
本発明は、このような問題を解決することを課題とする。
【課題を解決するための手段】
【００１０】
そのため、本発明は、顧客に対して取引操作に必要な画面等の表示と情報の入力を行わせる操作表示部を備えた自動取引装置において、顧客が現金の投入、受取を行う入出金口を２つ設け、そのうちの１つを操作表示部より低い位置に配置したことを特徴とする。
【発明の効果】
【００１１】
このようにした本発明によれば、車椅子利用の顧客や背の低い顧客は操作表示部より低い位置の入出金口を利用して入出金を伴う取引を行うことができ、これにより現金の投入や受取操作の操作性が向上して、車椅子利用の顧客や背の低い顧客は装置を利用しやすくなるという効果が得られる。
また、２つの入出金口のうち、顧客が現金の投入や受取に使用しない方を一時保留部として利用するため、装置内に専用の一時保留部を設ける必要がなく、そのため現金の収納庫の設置スペースが限定されて紙幣の収納量が減少することもなくなり、構造が複雑になって高価になるという問題も解消できるという効果も得られる。
【発明を実施するための最良の形態】
【００１２】
以下、図面を参照して本発明による自動取引装置の実施例を説明する。
【実施例】
【００１３】
図１は第１の実施例を示す自動取引装置の斜視図である。
図において１は自動取引装置（以下ＡＴＭ）で、このＡＴＭ１は正面上部に略Ｌ字形の接客部を有し、その立面にはレシート発行口を兼ねるカード挿入排出口２と通帳挿入排出口３が設けられ、また接客部の水平面（または水平に近い傾斜面）には、手前側に操作表示部３が、その奥側に紙幣入出金口５と硬貨入出金口６がそれぞれ設けられている。
【００１４】
操作表示部４は表示面を上に向けた液晶ディスプレイ等による表示手段と、この表示手段上に配置した入力手段としてのタッチパネルとを備え、表示手段に顧客の操作を誘導するメッセージを配した画面や各種の入力キーを表示し、その入力キーをタッチパネル上から指で押下することにより、入力キーに定義された情報を入力できるものとなっていて、入力された情報の表示等も行うようになっている。
【００１５】
本実施例はこの操作表示部４の下方つまり操作表示部４より低い位置となるようにもう1つの紙幣入出金口７と入出金口選択ボタン８をＡＴＭ１の正面下部側の立面に設け、入出金口選択ボタン８を押下したとき、紙幣入出金口７を紙幣の投入、受取に使用するものとして選択できるものとなっている。
尚、入出金口選択ボタン８は操作表示部４に表示して、タッチパネル上から押下できるようにすることも可能である。
【００１６】
図２は第1の実施例の構成を示すブロック図である。
ＡＴＭ１内には、この図２に示した紙幣入出金機１１、硬貨入出金機１２、カードリードライト部１３、レシート印字部１４、通帳印字部１５、通信部１６、記憶部１７、及び制御部１８等が設けられている。
紙幣入出金部１１と硬貨入出金部１２はそれぞれ前記紙幣入出金口５、７と硬貨入出金口５に対応して配置されており、取引に伴う入出金処理を行うものとなっている。
【００１７】
本発明では紙幣と硬貨を含めて現金と称することとする。
カードリードライト部１３とレシート印字部１４が通帳印字部１５は前記カード挿入排出口２及び通帳挿入排出口３に対応して設けられており、ここで、カードリードライト部１３は、顧客の取引媒体としてのカードに設けられた磁気ストライプやＩＣに対してデータの読取及び書込みを行う機能を有し、レシート印字部１４は取引終了時にレシートに取引内容を印字し、通帳印字部１５は顧客の取引媒体としての通帳の印字欄に未記帳データ等の印字を行う機能を有している。
【００１８】
記憶部１７は、取引時における入力データ等を記憶する他、装置の動作を制御するための制御プログラムが格納されており、また取引選択画面や各取引における処理ステップ毎の案内画面や入力画面等もこの記憶部１７に格納されている。
制御部１８は、記憶部１７に格納されている制御プログラムに基づいて操作表示部４、入出金口選択ボタン８、紙幣入出金部１１、硬貨入出金部１２、カードリードライト部１３、レシート印字部１４、及び通帳印字部１２等を制御し、各種の取引を遂行する機能を有しており、その遂行に当たっては、通信部１６を介してホストコンピュータ(上位装置)と通信を行い、必要な情報の授受を行うものとなっている。
尚、ホストコンピュータは、金融機関のセンタ等に設置されていて、各顧客の氏名、口座番号、暗証番号、未記帳データ、及び口座残高等を顧客口座情報として記憶部（データベース）に記憶させ、管理する機能を有している。
【００１９】
図３は紙幣入出金機１１の内部構造を示す概略側面図である。
この図に示したように本実施例の紙幣入出金機１１は、前記の２つの紙幣入出金口５、７を有する他、入金取引時及び出金取引時に紙幣の金種や正損等の鑑別を行う鑑別部２１、金種別に紙幣を収納する複数の紙幣収納庫２２〜２４、入金取引時及び出金取引時のリジェクト紙幣を収納するリジェクト紙幣収納庫２５、顧客の取忘れ紙幣を収納する取忘れ紙幣庫２６及びこれらの間で紙幣を搬送する搬送路２７ａ〜２７ｎ等を備えており、入金取引時には２つの紙幣入出金口５、７のいずれか一方を一時保留部として利用し、出金取引時には紙幣入出金口５、７のいずれか一方のみを使うものする。
【００２０】
５ａと７ａ紙幣入出金口５、７にそれぞれ設けられた開閉可能なシャッタである。
上述した構成の作用について説明する。
尚、以下に説明する各部の動作は、記憶部１７に格納された制御プログラムに基づいて制御部１８により制御される。
まず、入金取引の場合、顧客が操作表示部４に表示される取引選択画面から入金取引を選択すると、紙幣入出金口５と７のいずれかを選択するように音声の誘導が行われ、同時に紙幣入出金口５と７の近傍に設けられているライトの点滅あるいは点灯が行われる。
【００２１】
この場合の音声の誘導は、例えば、紙幣入出金口７から入金を行う場合は入出金口選択ボタン８を押すように促す旨の内容とする。
尚、操作表示部４に同様の案内文を表示して、操作誘導してもよいことは言うまでもない。
一定時間経過しても入出金口選択ボタン８が押下されない場合は、紙幣入出金口５を選択したものとする。
【００２２】
紙幣入出金口５が選択された場合、制御部１８はこの紙幣入出金口５を紙幣の投入、受取に使用すると共に、紙幣入出金口７を一時保留部として利用することを決定し、以下の制御を行う。
すなわち、顧客がカード挿入排出口２にカード（取引媒体）を挿入するか、通帳（取引媒体）を通帳挿入排出口３に挿入すると、カードリードライト部１３または通帳印字部１５で顧客の口座情報を読取り、その口座情報をホストコンピュータに送って、ホストホストコンピュータで口座情報が確認されると紙幣入出金口５のシャッタ５ａを開く。
【００２３】
ここで、顧客が紙幣を紙幣入出金口５に投入するとシャッタ５ａを閉じ、投入された紙幣を紙幣入出金口５に設けられている分離手段により１枚毎に分離し、搬送路２７ａ、２７ｂにより鑑別部２１に搬送して紙幣の金種損等の鑑別と搬送異常の検知を行い、受け入れの可否を判定する。
金種が確定されて受け入れ可と判定した紙幣は計数した後、搬送路２７ｃ、２７ｄ、２７ｅ、２７ｆにより一時保留部としての紙幣入出金口７に搬送して集積し、一時保留する。
【００２４】
また、金種が不明あるいは搬送異常が検知されて受け入れ不可と判定した紙幣は、搬送先を切換えて搬送路２７ｇ、２７ｈにより紙幣入出金口５に戻すが、紙幣入出金口５はこの戻された紙幣を分離中の紙幣と区分して集積できるようになっている。
顧客が投入した紙幣を全て分離、搬送して、鑑別が終了すると、計数した金額を操作表示部４に表示する。
【００２５】
このとき受け入れ不可と判定された紙幣が紙幣入出金口５にあればシャッタ５ａを開放して顧客に返却する。
顧客が前記表示金額を了承して、操作表示部４に表示した確認ボタンを押下すると、取引が確定する。
取引が確定すると、レシート印字部１４でレシートに取引明細を印字してカード挿入排出口２から顧客に放出すると共にカードを返却し、通帳が挿入されていれば通帳印字部１５で通帳に取引明細を印字して通帳挿入排出口５から顧客に返却すると共に、取引明細を取引情報としてホストコンピュータに送信する。
【００２６】
また、これと並行して紙幣入出金口７に一時保留した紙幣をこの紙幣入出金口７に配置されている紙幣分離手段により１枚ずつ分離して繰出し、搬送路２７ｉ、２７ｅ、２７ｄ、２７ｃにより再度鑑別部２１に搬送して金種、正損等を鑑別すると共に搬送異常の検知を行う。
その結果、出金対象金種で出金に適する正券と判定した紙幣は、搬送路２７ｂ、２７ｇ、２７ｊ、２７ｄ、２７ｋにより金種毎に該当する紙幣収納庫２２〜２４に搬送して収納し、また、出金に不適である損券と判定した紙幣、出金対象外の金種の紙幣（例えば２千円紙幣）及び搬送異常が検知された紙幣は搬送路２７ｂ、２７ｇ、２７ｊ、２７ｄ、２７ｋ、２７ｌによりリジェクト紙幣収納庫２５に搬送して収納する。
【００２７】
一方、顧客が入出金口選択ボタン８を押下して紙幣入出金口７を選択した場合、制御部１８は紙幣入出金口５を一時保留部として利用することを決定し、以下の制御を行う。
まず、顧客がカード挿入排出口２にカード（取引媒体）を挿入するか、通帳（取引媒体）を通帳挿入排出口３に挿入すると、カードリードライト部１３または通帳印字部１５で顧客の口座情報を読取り、その口座情報をホストコンピュータに送って、ホストホストコンピュータで口座情報が確認されると紙幣入出金口７のシャッタ７ａを開く。
【００２８】
ここで、顧客が紙幣を紙幣入出金口７に投入するとシャッタ７ａを閉じ、投入された紙幣を紙幣入出金口７に設けられている分離手段により１枚毎に分離し、搬送路２７ｉ、２７ｅ、２７ｄ、２７ｃにより鑑別部２１に搬送して紙幣の金種損等の鑑別と搬送異常の検知を行い、受け入れの可否を判定する。
金種が確定されて受け入れ可と判定した紙幣は計数した後、搬送路２７ｂ、２７ｈにより一時保留部としての紙幣入出金口５に搬送して集積し、一時保留する。
【００２９】
また、金種が不明あるいは搬送異常が検知されて受け入れ不可と判定した紙幣は、搬送先を切換えて搬送路２７ｍ、２７ｆにより紙幣入出金口７に戻すが、紙幣入出金口７はこの戻された紙幣を分離中の紙幣と区分して集積できるようになっている。
顧客が投入した紙幣を全て分離、搬送して、鑑別が終了すると、計数した金額を操作表示部４に表示する。
【００３０】
このとき受け入れ不可と判定された紙幣が紙幣入出金口５にあればシャッタ７ａを開放して顧客に返却する。
顧客が前記表示金額を了承して、操作表示部４に表示した確認ボタンを押下すると、取引が確定する。
取引が確定すると、レシート印字部１４でレシートに取引明細を印字してカード挿入排出口２から顧客に放出すると共にカードを返却し、通帳が挿入されていれば通帳印字部１５で通帳に取引明細を印字して通帳挿入排出口５から顧客に返却すると共に、取引明細を取引情報としてホストコンピュータに送信する。
【００３１】
また、これと並行して紙幣入出金口５に一時保留した紙幣をこの紙幣入出金口７に配置されている分離手段により１枚ずつ分離して繰出し、搬送路２７ａ、２７ｂにより再度鑑別部２１に搬送して金種、正損等を鑑別すると共に搬送異常の検知を行う。
その結果、出金対象金種で出金に適する正券と判定した紙幣は、搬送路２７ｃ、２７ｄ、２７ｋにより金種毎に該当する紙幣収納庫２２〜２４に搬送して収納し、また、出金に不適である損券と判定した紙幣、出金対象外の金種の紙幣（例えば２千円紙幣）及び搬送異常が検知された紙幣は搬送路２７ｃ、２７ｄ、２７ｋ、２７ｌによりリジェクト紙幣収納庫２５に搬送して収納する。
【００３２】
次に出金取引について説明する。
出金取引の場合は、顧客が操作表示部４に表示される取引選択画面から出金取引を選択すると、上述した入金取引の場合と同様に顧客に紙幣入出金口５と７のいずれかを選択させ、その後、顧客がカード挿入排出口２にカード（取引媒体）を挿入するか、通帳（取引媒体）を通帳挿入排出口３に挿入すると、カードリードライト部１３または通帳印字部１５で顧客の口座情報を読取る。
【００３３】
続いて暗証番号の入力画面を操作表示部４に表示し、顧客が操作表示部４を操作して暗証番号を入力すると、次に金額入力画面を操作表示部４に表示して顧客に出金希望金種、及び金額を入力させる。
顧客が操作表示部４を操作して出金希望金種、及び金額を入力すると、前記口座情報、暗証番号、及び出金希望金額をホストコンピュータに送り、ホストコンピュータで口座情報が確認され、本人確認が行われて取引可能の旨の通知が返信されると、顧客が入力した出金希望金種、及び金額に該当する紙幣を紙幣収納庫２２〜２４から図示しない分離手段により紙幣を１枚ずつ分離して繰出して、繰出した紙幣を搬送路２７ｋ、２７ｄ、２７ｃにより鑑別部２１に搬送する。
【００３４】
そして、鑑別部２１により紙幣の金種等を鑑別すると共に搬送異常の検知を行い、その結果、金種不明や搬送異常により出金に不適と判定した紙幣は、搬送路２７ｂ、２７ｇ、２７ｊ、２７ｎ、２７ｌによりリジェクト紙幣収納庫２５に搬送して収納する。
金種が確定し出金に適すると判定した紙幣ついては、顧客により紙幣入出金口５が選択されている場合は、鑑別後の紙幣を計数した後、搬送路２７ｂ、２７ｈにより紙幣入出金口５に搬送して集積し、また、顧客により紙幣入出金口７が選択されている場合は、鑑別後の計数した後、搬送路２７ｍ、２７ｆにより紙幣入出金口７に搬送して集積する。
【００３５】
そして、利用者が入力した前記出金金希望金種、金額分の紙幣を紙幣入出金口５または７に集積すると、シャッタ５ａまたは７ａを開いて利用者に受取らせ、レシート印字部１４でレシートに取引明細を印字してカード挿入排出口２から顧客に放出すると共にカードを返却し、通帳が挿入されていれば通帳印字部１５で通帳に取引明細を印字して通帳挿入排出口５から顧客に返却すると共に、取引が正常に終了した旨の通知をホストコンピュータに送信する。
【００３６】
尚、顧客が紙幣をとり忘れた場合、そのとり忘れ紙幣が紙幣入出金口５にあれば、分離手段により紙幣を１枚ずつ分離して繰出した紙幣を搬送路２７ａ、２７ｂにより鑑別部２１に搬送し、更に鑑別部２１から搬送路２７ｃ、２７ｋ、２７ｏにより取忘れ収納庫２６搬送して収納する。
また、忘れ紙幣が紙幣入出金口７にあれば、分離手段により紙幣を１枚ずつ分離して繰出した紙幣を搬送路２７ｉ、２７ｄ、２７ｃにより鑑別部２１に搬送し、更に鑑別部２１から搬送路２７ｂ、２７ｇ、２７ｊ、２７ｎ、２７ｏにより取忘れ収納庫２６搬送して収納する。
【００３７】
以上説明したように、第１の実施例では、操作表示部４の奥の位置に設けられる紙幣入出金部５とは別に、もう１つの紙幣入出金口７を操作表示部４より低い位置に設けているため、車椅子利用の顧客や背の低い顧客はこの操作表示部４より低い位置の紙幣入出金口７を使用して入出金取引を行うことができ、これにより現金の投入や受取操作の操作性が向上して、車椅子利用の顧客や背の低い顧客はＡＴＭ１を利用し易くなるという効果が得られる。
【００３８】
また、２つの紙幣入出金口５と７のうち、顧客が現金の投入受取に使用しない方を一時保留部として利用するため、ＡＴＭ１内に専用の一時保留部を設ける必要がなく、そのため紙幣収納庫の設置スペースが限定されて紙幣の収納量が減少することもなくなり、構造が複雑になって高価になるという問題も解消できるものとなる。
尚、上述した第１の実施例では、入出金口選択ボタン８の押下により紙幣入出金口７を紙幣の投入、受取に使用するものとしたが、顧客の取引媒体であるカードの磁気ストライプ（またはＩＣ）に紙幣入出金口５と７のいずれを使用するかの入出金口指定情報を書込んでおき、取引の際にその入出金口指定情報をカードリードライト部１３で読取って紙幣入出金口５と７のいずれを紙幣の投入、受取に使用するか決定するようにしてもよく、このようにすることによって入出金口選択ボタン８を省略でき、かつ入出金口選択ボタン８の操作する必要もなくなるので取引時間を短縮することが可能となる。
【００３９】
また、このようにカードの磁気ストライプ（またはＩＣ）に入出金口指定情報を書込んでおく場合、その入出金口指定情報の書換えを可能にする。
例えば、入出金口指定情報の書込み時に健常者であったが、怪我をして車椅子利用者になった場合、それまで利用していた紙幣入出金口５から紙幣入出金口７に換える必要が生じてくる。
【００４０】
このような場合、カード挿入後、図４に示すように取引中に操作表示部４に表示する暗証番号入力画面等に、顧客の現在の入出金口指定情報に基づく紙幣入出金口の位置を示すイラスト（画像）と、「入出金口変更」ボタン９、及び「紙幣入出金口を変更する場合は、暗証番号を入力する前に下のボタンを押してください」等の「入出金口変更」ボタンの押下を促す旨のメッセージを表示し、顧客が「入出金口変更」ボタン９を押下すると、カードリードライト部１３で入出金口指定情報を書換える。
【００４１】
書換えた入出金口指定情報は次の書換えまで保持される
図５は本発明の第２の実施例を示す自動取引装置の斜視図である。
この実施例はＡＴＭ１正面中央の比較的高い位置、例えばカード挿入排出口２や通帳挿入排出口３の上方の位置つまり、健常者は検知するが車椅子利用者は検知しない位置に検知センサ１０を設け、制御部１８が操作表示部４に表示される取引選択画面で取引が選択されたとき、検知センサ１０が顧客を検知した場合は紙幣入出金口５を、検知しない場合は紙幣入出金口７を紙幣の投入、受取に使用するものと決定するようにしたものである。
【００４２】
この場合の入金取引や出金取引の現金の処理は第１の実施例と同様に行われる。
以上説明した第２の実施例によれば、第１の実施例と同様の効果が得られる他、検知センサ１０が顧客を検知したか否かにより紙幣入出金口５と７のいずれを利用するかを決定するため、第１の実施例のように顧客が入出金口選択ボタン８を操作する手間や、カードへの入出金口指定情報の書込み、書換えの手間を省くことができる。
【００４３】
以上、本発明の実施例について説明したが、本発明はこれに限られるものではない。
例えば、上述した第１、第２の実施例では紙幣の入金取引及び出金取引を例にして説明したが、硬貨の入金取引及び出金取引に適用可能であり、また、現金の入出金（釣銭の放出も含む）を伴う取引であれば、例えば顧客が自分の口座を利用しない振込取引等についても適用可能である。
【図面の簡単な説明】
【００４４】
【図１】第１の実施例を示す自動取引装置の斜視図
【図２】第1の実施例の構成を示すブロック図
【図３】紙幣入出金機の構造を示す概略側面図
【図４】紙幣入出金口変更のための暗証番号入力画面の例を示す図
【図５】第２の実施例を示す自動取引装置の斜視図
【符号の説明】
【００４５】
１    ＡＴＭ（自動取引装置）
２    カード挿入排出口
３    通帳挿入排出口
４    操作表示部
５    紙幣入出金口
６    硬貨入出金口
７    紙幣入出金口
８    入出金口選択ボタン
１０    検知センサ
１１  紙幣入出金機
１２  硬貨入出金機
１３  カードリードライト部
１４  レシート印字部
１５  通帳印字部
１６  通信部
１７  記憶部
１８  制御部
【図１】
2008052486.tif 000003
【図２】
2008052486.tif 000004
【図３】
2008052486.tif 000005
【図４】
2008052486.tif 000006
【図５】
2008052486.tif 000007